(57)【要約】【課題】多量のペットの抜け毛でも容易に回収できて処分も簡単であり、室内を清潔に保つことができる床下ダストボックスを提供する。【解決手段】床面１０の開口部１２に対して着脱可能な蓋１４と、床下スペース６０の前記開口部１２に対応する位置に配置されたダストボックス本体２０と、該ダストボックス本体２０の上縁に対して着脱可能であって、前記ダストボックス本体２０の内側から上縁にかけてセットされるごみ袋をおさえる枠体５０により床下ダストボックスが構成される。ダストボックス本体２０を、外箱２２とその内側に収納かつ着脱可能な内箱３０により構成し、内箱３０を外箱２２よりも高く設定し、外箱２２から突出した部分に枠体５０を嵌めることで、ごみ袋４０を確実におさえる。蓋１４を取り外して、ダストボックス本体２０にペットの抜け毛７２等を回収し、たまったらごみ袋４０ごと交換する。【選択図】図１
2019085221.tif 000002
【特許請求の範囲】
【請求項１】
床面に設けられた開口部と、
該開口部に着脱可能に設けられる蓋と、
床下スペースの前記開口部に対応する位置に配置されたダストボックス本体と、
該ダストボックス本体の上縁に対して着脱可能であって、前記ダストボックス本体の内側から上縁にかけてセットされる袋体をおさえる枠体と、
を備えることを特徴とする床下ダストボックス。
【請求項２】
前記ダストボックス本体が、
前記床下スペース側に固定され、上方が開口した外箱と、
該外箱の内側に収納かつ着脱可能であって、前記外箱よりも高く形成されており、上方が開口した内箱と、
を備えるとともに、
前記枠体が、
前記外箱から突出した部分の前記内箱の外周部を囲む枠本体と、
該枠本体の上縁に形成された前記内箱の上端部を覆う上面部と、
を備えることを特徴とする請求項１記載の床下ダストボックス。
【請求項３】
前記外箱が、断熱材層を有することを特徴とする請求項２記載の床下ダストボックス。
【発明の詳細な説明】
【技術分野】
【０００１】
本発明は、ペットの抜け毛などを回収するダストボックスに関し、更に具体的には床下ダストボックスに関するものである。
【背景技術】
【０００２】
犬や猫などのペットの抜け毛を清掃する技術としては、例えば、下記特許文献１に記載の「粘着テープによる清掃道具」がある。当該特許文献１によれば、三日月形にした本体の弧部に粘着テープを沿わせ、上部でその粘着テープが外れないように止めることが開示されている。
【先行技術文献】
【特許文献】
【０００３】
【特許文献１】特開２００５−２５３９３１号公報
【発明の概要】
【発明が解決しようとする課題】
【０００４】
しかしながら、上述した特許文献１に示すように粘着テープを利用するものでは、毛の生え変わる時期には十分に抜け毛を掃除しきれず、何度も粘着テープを取り換えなければならない。したがって、粘着テープの交換に手間がかかり、容易に抜け毛の処分をすることができず、部屋を清潔に保つのも困難である。特に、多頭飼いの場合は、なおさらである。
【０００５】
本発明は、以上のような点に着目したもので、多量のペットの抜け毛でもきれいに回収でき、処分も簡単であって、室内を清潔に保つことができる床下ダストボックスを提供することを、その目的とする。
【課題を解決するための手段】
【０００６】
本発明は、床面に設けられた開口部と、該開口部に着脱可能に設けられる蓋と、床下スペースの前記開口部に対応する位置に配置されたダストボックス本体と、該ダストボックス本体の上縁に対して着脱可能であって、前記ダストボックス本体の内側から上縁にかけてセットされる袋体をおさえる枠体と、を備えることを特徴とする。
【０００７】
主要な形態の一つは、前記ダストボックス本体が、前記床下スペース側に固定され、上方が開口した外箱と、該外箱の内側に収納かつ着脱可能であって、前記外箱よりも高く形成されており、上方が開口した内箱と、を備えるとともに、前記枠体が、前記外箱から突出した部分の前記内箱の外周部を囲む枠本体と、該枠本体の上縁に形成された前記内箱の上端部を覆う上面部と、を備えることを特徴とする。
【０００８】
他の形態の一つは、前記外箱が、断熱材層を有することを特徴とする。本発明の前記及び他の目的，特徴，利点は、以下の詳細な説明及び添付図面から明瞭になろう。
【発明の効果】
【０００９】
本発明によれば、床面に設けられた開口部と、該開口部に着脱可能に設けられる蓋と、床下スペースの前記開口部に対応する位置に配置されたダストボックス本体と、該ダストボックス本体の上縁に対して着脱可能であって、前記ダストボックス本体の内側から上縁にかけてセットされる袋体をおさえる枠体と、を備えることとした。このため、床下スペースを利用して、ペットの抜け毛などの大量のごみを回収できるとともに処分も簡単であり、室内を清潔に保つことができる。
【図面の簡単な説明】
【００１０】
【図１】本発明の実施例１を示す図であり、(A)は床下ダストボックスの蓋を閉じた状態を示す平面図，(B)は前記(A)を＃Ａ−＃Ａ線に沿って切断し矢印方向に見た断面図である。
【図２】前記実施例の床下収納スペース側の構造を示す図であり、(A)はダストボックス本体にごみ袋及び枠体を取り付けた状態を示す外観斜視図，(B)はごみ袋と枠体を取り付ける前の分解斜視図である。
【発明を実施するための形態】
【００１１】
以下、本発明を実施するための最良の形態を、実施例に基づいて詳細に説明する。
【実施例１】
【００１２】
最初に、図１及び図２を参照しながら本発明の実施例１を説明する。図１(A)は、本実施例の床下ダストボックスの蓋を閉じた状態を示す平面図，図１(B)は前記(A)を＃Ａ−＃Ａ線に沿って切断し矢印方向に見た断面図である。図２は、本実施例の床下収納スペース側の構造を示す図であり、(A)はダストボックス本体にごみ袋枠体を取り付けた状態を示す外観斜視図，(B)はごみ袋と枠体を取り付ける前の分解斜視図である。本実施例の床下ダストボックスは、従来の床下収納のように、床下スペースを利用するものある。本実施例では、ペットの抜け毛の回収・処分に、本発明を利用する場合を例に挙げて説明する。
【００１３】
図１(B)に示すように、室内の床１０は、開口部１２が設けられている。該開口部１２には、その周縁に設けられた受具１６によって、蓋１４が開閉可能に取り付けられる（図１(A)及び(B)参照）。前記蓋１４には、把持部１８が設けられている。該把持部１８は使用しないときは、図１(A)に示すように内側に収納されており、使用するときは、回転させて上向きにして指をかけて蓋１４を持ち上げる。このような把持部１８の構造は公知である。また、図示の例では、前記開口部１２及び蓋１４は、例えば、３００ｍｍ×３００ｍｍ程度の正方形である。
【００１４】
図１(B)に示すように、床下スペース６０には、前記開口部１２に対応する位置にダストボックス本体２０が配置されている。該ダストボックス本体２０は、図２(A)及び(B)に示すように、前記床下スペース６０側に固定される外箱２２と、該外箱２２の内側に収納可能かつ脱着可能な内箱３０と、該内箱３０の上端部３２に着脱可能な枠体５０により構成されている。
【００１５】
前記外箱２２は、上方が開口した直方体状であって、例えば、底面の寸法が２５４ｍｍ×２５４ｍｍであり、高さが２４１ｍｍ程度である。また、図１(B)に示すように、前記外箱２２の内側には、断熱材層２４が設けられている。このような外箱２２は、床下スペース６０に、前記開口部１２の位置に合わせて適宜手法で固定される。
【００１６】
次に、前記内箱３０は、上方が開口した直方体状であって、前記外箱２２の内側に収納かつ着脱可能な寸法に形成されている。内箱３０は、前記外箱２２内に収納したときに、前記外箱２２よりも高くなるように形成されている。本実施例では、例えば、前記内箱３０の高さは、２４４ｍｍ程度に設定されている。したがって、外箱２２の底面の厚さと、内箱３０の底面の厚さを合わせると、内箱３０を外箱２２の内側に収納した状態において、内箱の上端部３２から外箱２２の上縁２６の間には、３０〜３３ｍｍ程度の段差が生じる。
【００１７】
前記枠体５０は、前記外箱２２から突出した前記内箱３０の外周部を囲む略正方形の枠本体５２と、該枠本体５２の上端部に形成されており前記内箱３０の上端部３２を覆う上面部５４とにより構成されている。前記枠本体５２の高さは、例えば、３３ｍｍ、上面部５４の幅は、２８ｍｍ程度に設定されている。
【００１８】
以上のような床下ダストボックスは、図１(B)及び図２(B)に示すように、床下スペース６０側に固定された外箱２２に、内箱３０を収納し、該内箱３０の内側から上端部３２にかけてごみ袋４０をかけ、前記枠体５０を前記内箱３０の上方に突出した部分の外側に嵌めることで、ごみ袋４０を固定して使用する。前記枠体５０は、床面１０側に設けられた位置決め用のフレーム５６により位置決めされる。使用しないときは、開口部１２に蓋１４を取り付けておく。そして、ペットの抜け毛などを掃除するときは、図１(B)に示すように、蓋１４を開けて、ほうきなどの清掃具７０を用いて、抜け毛７２を、ダストボックス本体２０内に回収する。
【００１９】
抜け毛７２がたまったら、枠体５０を外してごみ袋４０を外し、新しいごみ袋４０に交換して上記と同様の手順でセットし、抜け毛７２がたまったごみ袋４０はそのまま処分する。あるいは、かがみこんでの動作ではなく、内箱３０を外箱２２から取り外して、内箱３０を床面１０上においてから、上記と同様に枠体５０を取り外して、ごみ袋４０を交換し、その後、内箱３０を外箱２２に収納するようにしてもよい。使用しないときは、前記開口部１２には蓋１４をしておく。
【００２０】
このように、実施例１によれば、次のような効果がある。
(1)床面１０に設けられた開口部１２に着脱可能に設けられる蓋１４と、床下スペース６０の前記開口部１２に対応する位置に配置されたダストボックス本体２０と、該ダストボックス本体２０の上縁に対して着脱可能であって、前記ダストボックス本体２０の内側から上縁にかけてセットされるごみ袋４０をおさえる枠体５０と、を備えることとした。このため、ダストボックス本体２０に設けたごみ袋４０に抜け毛７２を回収しておき、抜け毛７２がたまったらごみ袋４０を交換するだけで、簡単に抜け毛７２の回収及び処分ができる。とくに、ダブルコートの犬の抜け毛の処分に適している。
(2)前記ダストボックス本体２０を、外箱２２と、該外箱２２の内側に収納かつ着脱可能な内箱３０により構成し、前記内箱３０を外箱２２よりも高く設定して、外箱２２から突出した部分に、枠体５０の枠本体５２を嵌める構造としたので、ごみ袋４０を確実におさえることができる。また、内箱３０のみを取り出してごみ袋４０を交換することができるため、床下スペース６０にかがみこむなどの無理な姿勢をとることがなく、安全に使用できる。
(3)前記外箱２２の内側に断熱材２４を設けることとしたので、抜け毛７２の回収以外の用途に使用することも可能である。
【００２１】
なお、本発明は、上述した実施例に限定されるものではなく、本発明の要旨を逸脱しない範囲内において種々変更を加え得ることができる。例えば、以下のものも含まれる。
(1)上述した実施例で示した形状，寸法は一例であり、同様の効果を奏する範囲内で適宜設計変更可能である。例えば、前記実施例では、開口部１２，蓋１４及びダストボックス本体２０を断面略正方形としたが、これも一例であり、必要に応じて長方形としてもよいし、円形等とすることを妨げるものではない。
(2)前記実施例で示した材料も一例であり、同様の効果を奏する範囲内で公知の各種の材料を利用してよい。
(3)前記実施例では、外箱２２に断熱材層２４を設けることとしたが、これも一例であり、必要に応じて設ければよい。
(4)前記実施例では、ペットの抜け毛の処理に本発明を利用することとしたこれも一例であり、他のごみの処分に利用してもよいし、収納スペースとして使用することを妨げるものではない。
【産業上の利用可能性】
【００２２】
本発明によれば、床面に設けられた開口部と、該開口部に着脱可能に設けられる蓋と、床下スペースの前記開口部に対応する位置に配置されたダストボックス本体と、該ダストボックス本体の上縁に対して着脱可能であって、前記ダストボックス本体の内側から上縁にかけてセットされる袋体をおさえる枠体と、を備えることとした。このため、床下スペースに設置されるダストボックスの用途に適用できる。特に、ペットの抜け毛を回収するためのダストボックスの用途に好適である。
【符号の説明】
【００２３】
１０：床
１２：開口部
１４：蓋
１６：受具
１８：把持部
２０：ダストボックス本体
２２：外箱
２４：断熱材層
２６：上縁
３０：内箱
３２：上端部
４０：ごみ袋
５０：枠体
５２：枠本体
５４：上面
５６：フレーム
６０：床下スペース
７０：清掃具
７２：抜け毛
【図１】
2019085221.tif 000003
【図２】
2019085221.tif 000004